(57)【特許請求の範囲】
【請求項１】
光源であるＬＥＤ素子が実装されたＬＥＤユニットと、前記ＬＥＤ素子を点灯するための電源装置及び点灯制御装置と、前記ＬＥＤユニットと前記電源装置と前記点灯制御装置を固定する本体と、前記本体に固定され、前記ＬＥＤ電源装置及び前記点灯装置を保護するとともに前記ＬＥＤユニットの電気配線を覆うインナーカバーと、を備えたＬＥＤ照明装置において、
前記本体は略半円盤形状であり、該本体の前記ＬＥＤユニットの照射方向と略反対方向であってＬＥＤ照明装置を被取付部材に設置する側に採光孔を形成し、
前記本体内に、前記採光孔から入光する屋外の光を受光することで前記ＬＥＤ素子を点灯させる自動点滅ユニットを設け、
前記自動点滅ユニットは、受光センサーを設けた自動点滅基板と、該自動点滅基板を保持する遮光部材とを有し、前記遮光部材には自動点滅基板収納部と前記受光センサーが突出する空隙部が形成されており、
前記採光孔に透光性キャップを密着したことを特徴とするＬＥＤ照明装置。
【請求項２】
前記遮光部材は、前記自動点滅基板収納部と前記空隙部の隔壁部に前記受光センサーが挿通する開口部が形成されていることを特徴とする請求項１に記載のＬＥＤ照明装置。
【請求項３】
前記遮光部材は遮光性の黒色ゴム材で成形されていることを特徴とする請求項１又は請求項２に記載のＬＥＤ照明装置。
【請求項４】
前記採光透光性キャップは、軟質性の樹脂材で成形されていることを特徴とする請求項１〜請求項３のいずれかに記載のＬＥＤ照明装置。
【請求項５】
前記採光孔の周囲に、前記採光孔が設けられた面から延出する庇が設けられていることを特徴とする請求項１〜請求項４のいずれかに記載のＬＥＤ照明装置。
【発明の詳細な説明】
【技術分野】
【０００１】
本発明は、ＬＥＤ照明装置に関し、特に屋外で使用するＬＥＤ照明装置に関するものである。
【背景技術】
【０００２】
防犯灯等の屋外灯は、道路に立設された電柱など高所に設置使用されるもので、自動点滅器の先端に設けられている受光面で光を受光し、屋外の明暗を検知し、ランプを消灯・点灯させるものである。自動点滅器は、屋外灯とは別体に設けられ、電柱などに設置される方式と、屋外灯内に設置される方式とがある。
【０００３】
自動点滅器は光源と直列に接続され、この自動点滅器に内蔵されたスイッチは、屋外が明るくなると遮断し、暗くなると接続する構造になっており、屋外の明暗に応じてランプが消灯・点灯する。
【０００４】
特許文献１に記載されている照明装置においては、自動点滅器の受光部が上向きに取付けられて屋外灯内に設置され、屋外が明るくなると遮断し、暗くなると接続し、屋外の明暗に応じてランプが消灯・点灯する。
【先行技術文献】
【特許文献】
【０００５】
【特許文献１】特許第４２５７６１４号
【発明の概要】
【発明が解決しようとする課題】
【０００６】
しかしながら、特許文献１に記載されている照明装置においては、自動点滅器の受光部が上向きに取付けられているため、夜間でも、周囲の建物の照明や看板等の明かり等の外乱光を受光し、自動点滅器に内蔵されたスイッチは遮断し消灯してしまう。逆に、自動点滅器の受光部が下向きに取付けられた屋外灯の場合、主に路面とその周辺の光を受光するため、夜間に自動車のライトにより、自動点滅器が屋外が明るくなったと認識するために所定時間の間、路面が明るく照らされたりすると、自動点滅器に内蔵されたスイッチは遮断し消灯してしまう。すなわち、屋外灯に内蔵された自動点滅器の受光部が上方（天方向）や下方（路面方向）を向いていると、屋外が暗くても消灯してしまうという誤動作を生じ易い。
【０００７】
本発明は、以上のような課題を解決するため鋭意検討した結果なされたものであり、簡単な構造で、かつ、誤動作を生じない自動点滅器を備えるＬＥＤ照明装置を提供するものである。
【課題を解決するための手段】
【０００８】
上記課題を解決するために、請求項１に記載の発明にあっては、光源であるＬＥＤ素子が実装されたＬＥＤユニットと、前記ＬＥＤ素子を点灯するための電源装置及び点灯制御装置と、前記ＬＥＤユニットと前記電源装置と前記点灯制御装置を固定する本体と、前記本体に固定され、前記ＬＥＤ電源装置及び前記点灯装置を保護するとともに前記ＬＥＤユニットの電気配線を覆うインナーカバーと、を備えたＬＥＤ照明装置において、
前記本体は略半円盤形状であり、該本体の前記ＬＥＤユニットの照射方向と略反対方向であってＬＥＤ照明装置を被取付部材に設置する側に採光孔を形成し、
前記本体内に、前記採光孔から入光する屋外の光を受光することで前記ＬＥＤ素子を点灯させる自動点滅ユニットを設け、
前記自動点滅ユニットは、受光センサーを設けた自動点滅基板と、該自動点滅基板を保持する遮光部材とを有し、前記遮光部材には自動点滅基板収納部と前記受光センサーが突出する空隙部が形成されており、
前記採光孔に透光性キャップを密着したことを特徴とする。
【０００９】
また請求項２の発明にあっては、前記遮光部材は、前記自動点滅基板収納部と前記空隙部の隔壁部に前記受光センサーが挿通する開口部が形成されていることを特徴とする。
【００１０】
また請求項３の発明にあっては、前記遮光部材は遮光性の黒色ゴム材で成形されていることを特徴とする。
【００１１】
また請求項４の発明にあっては、前記採光透光性キャップは、軟質性の樹脂材で成形されていることを特徴とする。
【００１２】
また請求項５の発明にあっては、前記採光孔の周囲に、前記採光孔が設けられた面から延出する庇が設けられていることを特徴とする。
【発明の効果】
【００１３】
本発明によれば、簡単な構造で、外乱光による自動点滅器の誤動作を防止することができる。
【図面の簡単な説明】
【００１４】
【図１】本発明のＬＥＤ照明装置の部品構成図である。
【図２】同上の外観斜視図である。
【図３】同上の断面図であり、図２記載のＣ−Ａ'の線断面図である。
【図４】同上の断面図であり、図２記載のＣ−Ｃ'の線断面図である。
【図５】自動点滅器の部品構成図である。
【図６】同上の図２記載のＡ−Ａ'の線断面図である。
【図７】自動点滅ユニット周辺の一部拡大断面図である。
【図８】同上の図２記載のＢ−Ｂ'の線断面図である。
【図９】自動点滅ユニットの本体への取付け状態の説明図であり、（ａ）は取付後、（ｂ）は取付前の状態である。
【図１０】同上を被取付部材に取付けた状態の斜視図である。
【発明を実施するための形態】
【００１５】
以下に、本発明に係る照明器具の実施形態を図面に基づいて説明する。
【００１６】
図２に示す通り、ＬＥＤ照明装置１００は、金属や合成樹脂を使用して概略半円盤形状に成形された本体１と、この本体１に螺着される透光性樹脂からなるボックス形の透光性カバー２とからなる。
【００１７】
図１は本発明に係るＬＥＤ照明装置の部品構成図である。図１に示すように、本発明のＬＥＤ照明装置は本体１と、この本体１の内部に電源装置５と点灯制御装置６が固定され、それらを保護して覆うインナーカバー３が取付けられている。そのインナーカバー３を介し、ＬＥＤユニット４１〜４５及び、４２'〜４５'からなり、広範囲に渡って光を照射するＬＥＤユニット群４が本体１の内壁側に固定されている。またＬＥＤユニット４６は、インナーカバー３に設けられたＬＥＤユニット固定部３１に取付けられ、このＬＥＤ照明装置の直下付近に光を照射する。本体１の下部には、本体１内部に固定された前記各部材を覆う透光性カバー２が固定される。
【００１８】
インナーカバー３は合成樹脂を使用して成形され、中空筒状の突状部３ａ、３ｂ、３ｃが設けられ、それらの底部には固定用のネジが貫通するためのネジ穴（不図示）が設けられており、このネジ穴を用いて、本体１内部に設けられた固定用ボス（不図示）に螺設される。図３に示す通り、インナーカバー３は突状部３ｂを介して本体１の固定用ボス１ｄに螺設され、本体１の内部に固定された電源装置５と自動点滅スイッチ６と、ＬＥＤユニット４１の上部に備えられたコネクタ４１ｍ、さらにそれらを電気的に接続するための配線を覆っている。なお、図３を用いた説明では、ＬＥＤユニット４１だけを取り上げているが、照明器具全体としては、各ＬＥＤユニットに設けられたコネクタもインナーカバー３により覆われている。インナーカバー３は各ＬＥＤユニットのコネクタを覆うためＬＥＤユニット４１〜４５及び、４２'〜４５'の照射を妨げることはない。
【００１９】
図４に示す通り、インナーカバー３の略中央部にＬＥＤユニット４６の取付部３１が設けられており、背面側である被取付部材８とは反対方向に照射するように傾斜させて形成され、その傾斜部の一端で本体１に固定するための突状部３ａの近くには挿通孔３１ａが設けられている。ＬＥＤユニット４６の基板支持体４６ｃの平板状の支持部４６ｉの一端を略「く」字状に屈曲させ成形した固定部４６ｊは、その挿通孔３１ａを通し本体１に設けられた固定部１１ｆに螺設される。
【００２０】
ＬＥＤユニット４６のコネクタ４６ｍから電源５に接続される配線は照射方向には出さず、図１に示される挿通孔３１ａを通してインナーカバー３の裏側に引き込むため、ＬＥＤユニット４６の照射を妨げず、美観を損ねることもない。
【００２１】
上記の通り、本体１に取付けられたインナーカバー３は、本体１の内部に固定された電源装置５と点灯制御装置６と、各ＬＥＤユニットの上部に備えられたコネクタ、さらにそれらを電気的に接続するための配線を覆っているので、被取付部材８に本発明の照明器具が取付けられ、それを下から見上げたとき、インナーカバー３によってＬＥＤユニット以外は目視できないので美観を損ねることがない。
【００２２】
図５及び図７に示すように、本体１の背面側、すなわち被取付部材８（図３）と対向する側には採光孔１４が形成されており、この採光孔１４に対応する本体１の内部には自動点滅ユニット７が設けられている。この自動点滅ユニット７は、受光センサー７１ａを備えた自動点滅基板７１、遮光部材７３及び透光性キャップ７２から構成されている。遮光部材７３は中間部に隔壁部７３ｅを有しており、隔壁部７３ｅの前方部に空隙部７３ｂが形成されている。自動点滅基板７１は、遮光部材７３の後端部に形成された自動点滅基板収納凹部７３ａに装着されており、受光センサー７１ａは、隔壁部７３ｅに設けられた開口部７３ｄ（図５参照）を通って空隙部７３ｂに突出している。遮光部材７３の空隙部７３ｂの開口側（先端側）は本体１の内壁に設けた溝１４ａに挿入され、遮光性と基板の保持性が確保されている。遮光部材７３は遮光性の良好な黒色のゴム等で成形される。
【００２３】
自動点滅基板７１を収容した遮光部材７３は、図９（ｂ）に示される本体１に設けられた基板固定用スリット１８ａ、１８ｂ、１８ｃ、１８ｄに挿入することで、遮光部材７３に収納される自動点滅基板７１に取付けられた受光センサー７１ａの軸方向が固定される。さらに、本体１の内壁から延出するボス１７、１７'に点灯制御装置６が固定されるとき自動点滅スイッチの底部６１と基板固定用スリット１８ａ、１８ｂ、１８ｃ、１８ｄによって自動点滅基板７１が挟持されて、自動点滅基板７１を収容した遮光部材７３が本体１内部に図９（ａ）のように固定される。
【００２４】
図７に示すように、透光性キャップ７２は、本体１に設けられた採光孔１４に圧入される円筒部７２ｂと、その円筒部７２ｂの一端側に採光孔１４の直径より大きい直径である円形の採光窓部７２ａと、他端側に透光性キャップ７２が外れないように係合部７２ｃとからなっている。採光窓部７２ａ、円筒部７２ｂ、係合部７２ｃはそれぞれ採光孔１４に密着しているので、水密性が高く雨水等の浸入を防止する。透光性キャップ７２は、シリコーンゴム等の透光性を有する軟質部材を用いて一体成形される。
【００２５】
以上の通り、遮光部材７３と採光窓部７２ａと採光孔１４とで受光センサー７１ａが受光するための空間が形成され、遮光部材７３により外乱光の進入を防ぐので、受光センサー７１ａは採光窓部７２ａから採り込んだ光だけを受光することができる。
【００２６】
受光センサー７１ａで受光し、自動点滅基板７１の出力信号に応じて、電源装置５に接続されている点灯制御装置６が供給電力の遮断・供給の制御を行い、ＬＥＤユニットの消灯・点灯が行われる。
【００２７】
図８は図２に記載のＢ−Ｂ'線断面図であり、自動点滅ユニット７は上面から見ると、中央部からずらし、電柱やポール等の被取付部材８にＬＥＤ照明装置１００を取付けるための取付アーム１５の横に備えられている。ＬＥＤ照明装置１００の中央部、つまり被取付部材８と取付アーム１５の間に透光性キャップ７２を設けた場合、落葉等の異物が被取付部材８と取付アーム１５とで囲まれた空間を塞いでしまった場合、周囲が明るい状態でも透光性キャップ７２から採り込む照度が低下し、自動点滅ユニット７は夜間として判断してしまい、いつまでも点灯が続く可能性がある。このような誤動作を防止するために自動点滅ユニット７は落葉等の異物に覆われないように、中央部からずらして設置している。
【００２８】
図１０は被取付部材８にＬＥＤ照明装置１００を取付けた状態である。自動点滅ユニット７の透光性キャップ７２は略水平に、ＬＥＤ照明装置１００のＬＥＤユニット群４の照射方向とは略反対方向に取り付けられている。この位置に取り付けることで、上方の光を受光しないので、夜間でも周囲の建物の照明や看板等の明かり等の外乱光の受光を防止でき、また、下方の光を受光しないので、路面とその周辺の光を受光せず、夜間に自動車のライト等により路面が明るく照らされたとき、自動点滅ユニット６が、屋外が明るくなったと認識し、ＬＥＤ照明装置１００が消灯してしまうという誤動作が防止できる。更に遮光部材７３と採光窓部７２ａと採光孔１４とで受光センサー７１ａが受光するための空間が形成され、遮光部材７３により外乱光の進入を防ぐので、ＬＥＤユニット群４の照射光が透光性カバー２で反射された光を受光して外が明るくなったと認識してしまう誤動作も防止できる。
【００２９】
透光性キャップ７２の上には庇１１が設けられ、上方からの外乱光が透光性キャップ７２に入射するのを防止し、また、雨水等が透光性キャップ７２に直接降りかかりＬＥＤ照明装置１００の内部への浸水を防止する。
【符号の説明】
【００３０】
１                            本体
１１                          庇
１４                          採光孔
２                            透光性カバー
４                            ＬＥＤユニット群
５                            電源装置
６                            点灯制御装置
７                            自動点滅ユニット
７１                          自動点滅基板
７１ａ                        受光センサー
７２                          透光性キャップ
７３                          遮光部材
８                            被取付部材
１００                        ＬＥＤ照明装置
【図１】
0005544004.tif 000002
【図２】
0005544004.tif 000003
【図３】
0005544004.tif 000004
【図４】
0005544004.tif 000005
【図５】
0005544004.tif 000006
【図６】
0005544004.tif 000007
【図７】
0005544004.tif 000008
【図８】
0005544004.tif 000009
【図９】
0005544004.tif 000010
【図１０】
0005544004.tif 000011